(57)【特許請求の範囲】
【請求項１】
少なくとも二つ以上の基地局制御器及び基地局がラジオ接続ネットワークを通じて連結され、前記各基地局制御器は少なくとも一つ以上の基地局を制御し、前記各基地局はソース基地局として呼設定時、前記呼をサービスするアンカー基地局制御器の情報を移動端末に提供する移動通信システムの前記移動端末で、ハンドオフを遂行するための方法において、
呼設定時、ソース基地局から受信される前記アンカー基地局制御器の情報を貯蔵する過程と、
ハンドオフ要求時、前記アンカー基地局制御器の情報を含む第１ハンドオフ要求メッセージをターゲット基地局に伝送する過程と、
前記ターゲット基地局から応答信号の受信時、前記ターゲット基地局を通じて呼を処理する過程と、
前記アンカー基地局制御器が、呼をサービスする所定移動端末に対してターゲット基地局の情報と前記移動端末の情報を含む第２ハンドオフ要求メッセージを受信し、前記移動端末に送信するトラヒックデータを伝送するソース基地局へのチャネルを前記ターゲット基地局に転換する過程とを含むことを特徴とする前記方法。
【請求項２】
少なくとも二つ以上の基地局制御器及び基地局がラジオ接続ネットワークを通じて連結され、前記各基地局制御器は少なくとも一つ以上の基地局を制御し、前記各基地局はソース基地局として呼設定時、前記呼をサービスするアンカー基地局制御器の情報を移動端末に提供する移動通信システムのターゲット基地局で、ハンドオフを遂行するための方法において、
所定移動端末からアンカー基地局制御器の情報を含む第１ハンドオフ要求メッセージを受信すると、前記移動端末の情報と前記ターゲット基地局の情報を含む第２ハンドオフ要求メッセージを前記アンカー基地局制御器に伝送する過程と、
前記アンカー基地局制御器から前記移動端末に伝送するトラヒックデータを受信すると、前記トラヒックデータを前記移動端末に伝送する過程と、
アンカー基地局制御器が、前記第２ハンドオフ要求メッセージを受信すると、前記移動端末に伝送するトラヒックデータを前記ターゲット基地局に伝達する過程とを含むことを特徴とする前記方法。
【請求項３】
少なくとも二つ以上の基地局制御器及び基地局がラジオ接続ネットワークを通じて連結され、前記各基地局制御器は少なくとも一つ以上の基地局を制御し、前記各基地局はソース基地局として呼設定時、前記呼をサービスするアンカー基地局制御器の情報を移動端末に提供する移動通信システムで、前記移動端末の呼をサービスするアンカー基地局制御器でのハンドオフ遂行方法において、
呼をサービスする所定移動端末に対してターゲット基地局の情報と前記移動端末の情報を含む第２ハンドオフ要求メッセージの受信時、前記移動端末に送信するトラヒックデータを伝送するソース基地局へのチャネルを前記ターゲット基地局に転換する過程と、を含むことを特徴とする前記方法。
【請求項４】
少なくとも二つ以上の基地局制御器及び基地局がラジオ接続ネットワークを通じて連結される構成を有する移動通信システムで、ソース基地局、ターゲット基地局、及び前記ソース基地局にトラヒック信号を送信するアンカー基地局制御器間のハンドオフ方法において、
移動端末はハンドオフ地域に移動すると、前記移動端末の情報とアンカー基地局制御器の情報を含む第１ハンドオフ要求メッセージをターゲット基地局に伝達する過程と、
前記ターゲット基地局は、前記第１ハンドオフ要求メッセージを受信すると、前記移動端末の情報と前記ターゲット基地局の情報を含む第２ハンドオフ要求メッセージをアンカー基地局制御器に伝達する過程と、
前記アンカー基地局制御器は、前記第２ハンドオフ要求メッセージを受信すると、前記移動端末に伝送するトラヒック信号を前記ターゲット基地局に伝達する過程と、を含むことを特徴とする前記方法。
【請求項５】
少なくとも二つ以上の基地局制御器及び基地局がラジオ接続ネットワークを通じて連結され、前記ラジオ接続ネットワークは基地局と通信中である移動端末のアンカー基地局制御器情報を持つデータベースを有する移動通信システムで、ソース基地局、ターゲット基地局、及び前記ソース基地局にトラヒック信号を送信するアンカー基地局制御器間のハンドオフ方法において、
前記移動端末はハンドオフ地域に移動すると、前記移動端末の情報を含む第１ハンドオフ要求メッセージをターゲット基地局に伝達する過程と、
前記ターゲット基地局は、前記第１ハンドオフ要求メッセージを受信すると、前記データベースから前記移動端末のアンカー基地局制御器情報を獲得する過程と、
前記ターゲット基地局は、前記ターゲット基地局の情報と前記移動端末の情報を含む第２ハンドオフ要求メッセージを前記アンカー基地局制御器に伝達する過程と、
前記アンカー基地局制御器は、前記第２ハンドオフ要求メッセージを受信すると、前記移動端末に伝送するトラヒック信号を前記ターゲット基地局に伝達する過程と、を含むことを特徴とする前記方法。
【請求項６】
少なくとも二つ以上の基地局制御器及び基地局がラジオ接続ネットワークを通じて連結される構成を有する移動通信システムで、ソース基地局、ターゲット基地局、及び前記ソース基地局にトラヒック信号を送信するアンカー基地局制御器間のハンドオフ方法において、
前記移動端末はハンドオフ地域に移動すると、前記移動端末の情報を含む第１ハンドオフ要求メッセージを前記ターゲット基地局に伝達する過程と、
前記ターゲット基地局は、前記第１ハンドオフ要求メッセージを受信すると、前記ラジオ接続ネットワークを通じて前記移動端末のアンカー基地局制御器を検索するためのサーチ要求メッセージをブロードキャストする過程と、
前記ターゲット基地局は、ラジオ接続ネットワークを通じてアンカー基地局のサーチ応答メッセージの受信時、前記ターゲット基地局の情報と前記移動端末の情報を含む第２ハンドオフ要求メッセージを前記アンカー基地局制御器に伝達する過程と、
前記アンカー基地局制御器は、前記第２ハンドオフ要求メッセージを受信すると、前記移動端末に伝送するトラヒック信号を前記ターゲット基地局に伝送する過程と、を含むことを特徴とする前記方法。
【請求項７】
少なくとも二つ以上の基地局制御器及び基地局がラジオ接続ネットワークを通じて連結される構成を有する移動通信システムで、ハンドオフを遂行するためのシステムにおいて、
ハンドオフ地域への移動が感知されると、自分の情報とアンカー基地局制御器の情報を含む第１ハンドオフ要求メッセージをターゲット基地局に伝送する移動端末と、
前記第１ハンドオフ要求メッセージを受信すると、前記移動端末の情報と自分の情報を含む第２ハンドオフ要求メッセージを前記アンカー基地局制御器に伝達し、ハンドオフが完了されると、トラヒックサービスを前記移動端末に提供するターゲット基地局と、
前記第２ハンドオフ要求メッセージを受信すると、前記移動端末に伝送するトラヒック信号を前記ラジオ接続ネットワークを通じて前記ターゲット基地局に伝送する基地局制御器と、を含むことを特徴とする前記システム。
【請求項８】
少なくとも二つ以上の基地局制御器及び基地局がラジオ接続ネットワークを通じて連結される構成を有する移動通信システムで、ハンドオフを遂行するためのシステムにおいて、
ハンドオフ地域への移動が感知されると、自分の情報を含む第１ハンドオフ要求メッセージをターゲット基地局に伝送する移動端末と、
前記移動端末をサービスするアンカー基地局制御器の情報を貯蔵し、アンカー基地局制御器情報の要求時、該当移動端末のアンカー基地局制御器情報を提供し、前記ラジオ接続ネットワークに連結されたデータベースと、
前記第１ハンドオフ要求メッセージを受信すると、前記移動端末の情報を利用して前記移動端末のアンカー基地局制御器を検索するための前記データベースを要求し、前記データベースからアンカー基地局制御器情報を獲得すると、前記移動端末の情報と自分の情報を含む第２ハンドオフ要求メッセージを前記アンカー基地局制御器に伝達し、ハンドオフが完了されると、トラヒックサービスを移動端末に提供するターゲット基地局と、
前記第２ハンドオフ要求メッセージを受信すると、前記移動端末に伝送するトラヒック信号を前記ラジオ接続ネットワークを通じて前記ターゲット基地局に伝送するアンカー基地局制御器と、を含むことを特徴とする前記システム。
【請求項９】
少なくとも二つ以上の基地局制御器及び基地局がラジオ接続ネットワークを通じて連結される構成を有する移動通信システムで、ハンドオフを遂行するためのシステムにおいて、
ハンドオフ地域への移動が感知されると、自分の情報を含む第１ハンドオフ要求メッセージをターゲット基地局に伝送する移動端末と、
前記第１ハンドオフ要求メッセージを受信すると、前記ラジオ接続ネットワークを通じて前記移動端末のアンカー基地局制御器を検索するためのサーチ要求メッセージをブロードキャストし、アンカー基地局制御器からサーチ応答メッセージを受信すると、前記移動端末機の情報と自分の情報を含む第２ハンドオフ要求メッセージをラジオ接続ネットワークを通じて前記アンカー基地局制御器に伝送し、ハンドオフが完了されると、トラヒックサービスを前記移動端末に提供するターゲット基地局と、
前記第２ハンドオフ要求メッセージを受信すると、前記移動端末に伝送するトラヒック信号を前記ターゲット基地局に伝送するアンカー基地局制御器と、を含むことを特徴とする前記システム。
【発明の詳細な説明】
【０００１】
【発明の属する技術分野】
本発明は移動通信システムの基地局でのハンドオフ方法に関するもので、特に平面構造を有する移動通信システムでのハンドオフ方法に関する。
【０００２】
【従来の技術】
通常的に、移動通信システムで端末と基地局は無線リンクを通じて連結され、基地局と基地局上位階層は有線リンクを通じて連結される。また、より多くの情報を伝達するために、現在移動通信システムではインタネットと連結されデータを送／受信することができる構造を有する。このような連結構成は、図１Ａ乃至図１Ｂのように示すことができる。
【０００３】
図１Ａは従来技術による移動通信システムのネットワーク構成図である。
図１Ａを参照すると、インタネット網１０と連動するＰＤＳＮ(Packet Data Serving Node)、またはＡＧＷ(Access Gate-way)装備２０が最上位階層に位置する。ＰＤＳＮ／ＡＧＷ装備２０はＲＡＮ−ＣＮ(Radio Access Network-Core Network)３０に連結される。またＢＴＳ(Base-Transceiver System)装備６０−１、…、６０−ｍはＢＳＣ装備４０−１とＲＡＮ−アクセル網５０を通じて連結される。この場合、それぞれのＢＴＳは上位階層に該当するＢＳＣと連結され、ＢＳＣ:ＢＴＳは１:Ｎの構造を有する。従って、一つのＢＴＳには二つ以上のＢＳＣが同時に連結されることができない。
【０００４】
次に、図１Ｂを参照して説明する。図１Ｂに示されている構造は、次世代移動通信システムで考慮されている構造である。即ち、すべての網の構成要素が一つの網を通じて連結される構造である。前記図１Ｂに示されている各構成要素は図１Ａに示されている構造と同一である。従って、ＢＴＳは論理的に上位のＢＳＣと１:Ｎの構成方式に連結される。即ち、物理的には平面構造であるが、事実的に図１Ａのような階層的な構造を有する。即ち、図２に示したように各ＢＳＣは少なくとも二つ以上のＢＴＳと連結されマッチングされる。
【０００５】
図２は従来技術に従って平面構造を有する移動通信システムの網での論理的な階層構成図である。このような場合、インターＢＳＣハンドオフ時に、上述したような階層的網構造での方法を同一に使用する場合が発生することができる。これについて図３を参照して説明する。
【０００６】
図３Ａ、図３Ｂ及び図３Ｃは外形的に平面構造を有し、実際に階層構造を有する移動通信網でハンドオフ過程を説明するための図である。
【０００７】
図３Ａを参照すると、ＭＴ(Mobile Terminal)８０がアンカーＢＳＣ＃１ ４０−１に連結されたソースＢＴＳ＃ｃ６０−３と通信している。この時、ＭＴ８０の移動につれてハンドオフが発生し得る。このように、ハンドオフが発生する場合を図３Ｂに示した。ＭＴ８０がターゲットＢＴＳ＃ｂ６０−２に移動する場合にハンドオフが発生することができる。このような場合、既存の階層的概念のハンドオフではＢＴＳに上位ＢＳＣが固定されている。従って、図３Ｂに示されたようにターゲットＢＴＳ＃ｂ６０−２は上位のＢＳＣ＃ｎ４０−ｎに連結され、ＢＳＣ＃ｎ４０−ｎは該当ＭＴ８０のアンカーＢＳＣであるアンカーＢＳＣ＃１４０−１とＲＡＮ７０を通じて連結される。
【０００８】
このような手続が遂行される過程を図４を参照して説明する。図４は論理的階層構造を有する従来の移動通信網でインターＢＳＣハンドオフを遂行するための信号流れ図である。
【０００９】
先ず、ＭＴ８０は１００段階でターゲットＢＴＳ＃ｂ６０−２にＭＴのＩＤを含むハンドオフ要求(Handoff Request)メッセージを伝送する。この時、ＭＴ−ＩＤには通信時に割り当てられた臨時番号、または電話番号などが含まれる。ターゲットＢＴＳ＃ｂ６０−２は１１０段階でターゲットＢＳＣ＃ｎ４０−ｎにハンドオフ要求メッセージを伝達する。この時、伝達されるメッセージにはＭＴ８０のＩＤとターゲットＢＴＳ＃ｂ６０−２のＩＤが含まれる。このように伝達された後、ターゲットＢＳＣ＃ｎ４０−ｎは１２０段階でアンカーＢＳＣ＃１ ４０−１に前記ＭＴ８０のＩＤとターゲットＢＳＣ＃ｎ４０−ｎのＩＤを含むハンドオフ要求メッセージを伝達する。すると、アンカーＢＳＣは１３０段階で該当ＭＴ８０と連結される他の装備と接続を設定(Connection Establish)し、１４０段階でトラヒックを転換する。
【００１０】
即ち、図３Ｂのように、インターＢＳＣハンドオフを遂行する端末であるＭＴ８０は、ソースＢＴＳ＃ｃ６０−３とＢＳＣ＃１ ４０−１の連結及びＢＴＳ＃ｂ６０−２とＢＳＣ＃ｎ４０−ｎの二つの経路を有する。また、前記ＢＳＣ＃ｎ４０−ｎはアンカーＢＳＣ＃１ ４０−１との経路を有する。従って、二つのＢＳＣが一つのＭＴに対する処理を遂行すべきであるので、ＢＳＣに不必要な負荷が発生する。またターゲットＢＴＳ＃ｂ６０−２からアンカーＢＳＣ＃１ ４０−１に信号が伝達される時に、ＢＳＣ＃ｎ４０−ｎを経由すべきであるので、ＲＡＮ７０の負荷も増加する。これはハンドオフに所要される時間も増加させる問題をもたらす。
【００１１】
また、ハンドオフが終了された時点である図３Ｃにおいても、ＭＴ８０へのデータ伝送はターゲットＢＴＳ＃ｂ６０−２を通じて遂行される。ターゲットＢＴＳ＃ｂ６０−２はＢＳＣ＃ｎ４０−ｎに連結されており、前記ＢＳＣ＃ｎ４０−ｎはアンカーＢＳＣ＃ｎ４０−１の経路を通じてトラヒックを伝達する。従って、ＲＡＮ７０の容量負荷を増加させ、データの流れが遅延される問題が発生する。結論的にインターＢＳＣハンドオフ方式は平面構造の網で適用時にＲＡＮ７０の容量を低下させ、遅延を増加させる問題があった。
【００１２】
【発明が解決しようとする課題】
従って、本発明の目的は、平面構造の網に適合したインターＢＳＣハンドオフ方法を提供することにある。
【００１３】
本発明の他の目的は、平面構造の網でインターＢＳＣハンドオフ時に負荷を低減することができる方法を提供することにある。
【００１４】
本発明のさらに他の目的は、平面構造の網でインターＢＳＣハンドオフ時にデータ遅延を低減することができる方法を提供することにある。
【００１５】
【課題を解決するための手段】
前記目的を達成するための本発明は、少なくとも二つ以上の基地局制御器及び基地局がラジオ接続ネットワークを通じて連結される平面構成を有する移動通信システムでのハンドオフ方法を提供する。
【００１６】
前記目的を達成するための本発明の見地によると、移動端末はハンドオフ地域に移動すると、前記移動端末の情報とアンカー基地局制御器の情報を含む第１ハンドオフ要求メッセージをターゲット基地局に伝達する過程と、前記ターゲット基地局は前記第１ハンドオフ要求メッセージを受信すると、前記移動端末の情報と前記ターゲット基地局の情報を含む第２ハンドオフ要求メッセージをアンカー基地局制御器に伝達する過程と、前記アンカー基地局制御器は前記第２ハンドオフ要求メッセージを受信すると、前記移動端末に伝送するトラヒック信号を前記ターゲット基地局に伝達する過程と、を含むことを特徴とする。
【００１７】
前記目的を達成するための本発明の他の見地によると、前記移動端末はハンドオフ地域に移動すると、自信の情報を含む第１ハンドオフ要求メッセージをターゲット基地局に伝達する過程と、前記ターゲット基地局は前記第１ハンドオフ要求メッセージを受信すると、前記データベースから前記移動端末のアンカー基地局制御器を獲得し、前記ターゲット基地局の情報と前記移動端末の情報を含む第２ハンドオフ要求メッセージを前記アンカー基地局制御器に伝達する過程と、前記アンカー基地局制御器は前記第２ハンドオフ要求メッセージ受信すると、前記移動端末に伝送するトラヒック信号を前記ターゲット基地局に伝達する過程と、を含むことを特徴とする。
【００１８】
前記目的を達成するための本発明のさらに他の見地によると、前記移動端末はハンドオフ地域に移動すると、自信の情報を含む第１ハンドオフ要求メッセージをターゲット基地局に伝達する過程と、前記ターゲット基地局は前記第１ハンドオフ要求メッセージを受信すると、前記ラジオ接続ネットワークを通じて前記移動端末のアンカー基地局制御器を検索するためのサーチ要求メッセージをブロードキャストし、ラジオ接続ネットワークからアンカー基地局を示すサーチ応答メッセージを受信すると、前記ターゲット基地局の情報と前記移動端末の情報と含む第２ハンドオフ要求メッセージを前記アンカー基地局制御器に伝達する過程と、前記アンカー基地局制御器は前記第２ハンドオフ要求メッセージを受信すると、前記移動端末に伝送するトラヒック信号を前記ターゲット基地局に伝達する過程と、を含むことを特徴とする。
【００１９】
【発明の実施形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００２０】
本発明によると、ＢＳＣとＢＴＳを１:Ｎの概念ではなくＮ:Ｍの概念に構成する。これを通じてＲＡＮの容量負荷を減少させ、ハンドオフとトラヒック送受信遅延を減少させる方法が開示される。また後述される本発明はＲＡＮ(Radio Access Network:ラジオ接続ネットワーク、以下、ＲＡＮ)に少なくとも一つの基地局制御器と少なくとも二つ以上の基地局が連結された場合に活用するようになる。
【００２１】
図５は本発明の望ましい実施形態に従って移動通信システムが平面構造を有する場合、基地局制御器のブロック構成図である。以下、図５を参照して本発明による基地局制御器の構成及び動作に対して詳細に説明する。
【００２２】
基地局制御器は基本的にＧＷ(Gateway)及びＢＴＳと連結するためのインタフェース(Line Interface)を有する。このようなインタフェースは、図５の参照符号２２０、２３０に示されている。また基地局制御器の全般的な制御を遂行する制御部(Main Controller)２００が設けられる。また基地局制御器はＢＳＣ内のトラヒックをルーティングするためのスイッチ(Intra-BSC Switch/  Router)２１０と、ソフトハンドオフ時に二つ以上の無線リンクから送受信されるトラヒックを多重化／逆多重化するＳＤＵ(Select and Distribute Unit)制御器２４０を設ける。
【００２３】
本発明では下記の三つの方法を通じてソフトハンドオフを遂行する。
【００２４】
先ず、一番目の方法に対して説明する。一番目の方法は、ＭＴがターゲットＢＴＳにＭＴのＩＤとアンカーＢＳＣのＩＤを含むハンドオフ要求メッセージを伝達し、前記ターゲットＢＴＳは自分のＩＤとＭＴのＩＤを含むハンドオフ要求メッセージを前記アンカーＢＳＣに伝達する方法である。この時、基地局制御器の制御部２００、またはＳＤＵ制御器２４０はターゲット基地局から前記第２インタフェース２３０を通じてハンドオフ要求メッセージを受信するようになる。従って、基地局制御器の制御部２００、またはＳＤＵ制御器２４０はハンドオフを要求したターゲット基地局にトラヒック伝送を変換するように制御する。これに対する詳細な信号流れは図９で後述する。
【００２５】
次に、二番目の方法に対して説明する。二番目の方法はＲＡＮにＭＴのＩＤとＭＴのアンカーＢＳＣのＩＤのマッピング情報を有するデータベース(Data base)を提供する方法である。このようなデータベースはＭＴの移動につれて継続的に更新される。ターゲット基地局は前記データベースにアンカーＢＳＣの検査を要求し、以後、アンカーＢＳＣが検索されると、アンカーＢＳＣにハンドオフ要求メッセージを伝達する。これによって基地局制御器の制御部２００、またはＳＤＵ制御器２４０はターゲット基地局から前記第２インタフェース２３０を通じてハンドオフ要求メッセージを受信するようになる。従って、基地局制御器の制御部２００、またはＳＤＵ制御器２４０はハンドオフを要求したターゲット基地局にトラヒック伝送を変換するように制御する。これに対する詳細な信号流れは図１０で後述する。
【００２６】
最後に、三番目の方法に対して説明する。三番目の方法はＩＰ(internet Protocol)のマルチキャスト機能を活用する方法である。ＭＴからハンドオフ要求メッセージを受信した前記ターゲット基地局は、マルチキャスト機能中のブロードキャスト機能を利用してＲＡＮに連結されたすべてのノードに前記ＭＴをサービスするアンカーＢＳＣを検索する。これによって前記基地局制御器の制御部２００、またはＳＤＵ制御器２４０はターゲット基地局から前記第２インタフェース２３０を通じてサーチ要求メッセージを受信するようになる。従って、前記基地局制御器の制御部２００、またはＳＤＵ制御器２４０は応答信号を生成して前記第２インタフェース２３０を通じてターゲット基地局に伝送する。すると、基地局制御器の制御部２００、またはＳＤＵ制御器２４０はターゲット基地局から前記第２インタフェース２３０を通じてハンドオフ要求メッセージを受信し、ハンドオフを要求したターゲット基地局にトラヒック伝送を変換するように制御する。これに対する詳細な信号流れは図１１で後述する。
【００２７】
上述した本発明で提案する方案は、二番目の方法のように物理的に別の装備を通じて具現することもでき、また前記一番目及び三番目の制御を遂行するための別の装備を設けて具現することができる。これと異なる方法に基本的に基地局制御器に設けられるＳＤＵ制御器(Processor)でソフトウェア(ＳＷ)的に具現して設計することもできる。これは本発明による方法がプロセッシングに大きな負荷を与えなく、多くのメモリを要求としないので、既存のモジュールをそのままに使用できるからである。
【００２８】
図６は本発明の望ましい実施形態によって移動通信システムが平面構造を有する場合、基地局のブロック構成図である。以下、図６を参照して本発明による基地局の構成及び動作に対して詳細に説明する。
【００２９】
基地局は基本的に基地局制御器と連結するためのインタフェース(Line Interface)３２０を設ける。また基地局とＭＴは基本的に無線リンクを通じてデータの送受信が遂行されるので、無線部(ＲＦ(Radio Frequency) Transmitter/Receiver)３４０を設ける。また基地局は基地局の全般的な動作を制御する制御部(Controller)３００と、基地局内のトラヒック経路を決定するスイッチ(Intra-BTS Switch/Router)３１０を設ける。またスイッチ３１０と前記無線部３４０間は多数のチャネルカード３３０−１、３３０−２、…、３３０−ｎに連結される。
【００３０】
また、上述したように本発明は三つの方法により遂行されることができ、前記三つの方法の過程で説明された各基地局の動作は、基地局の制御部３００で遂行するように構成することができる。これと異なる方法に前記基地局に別の物理的な装備を設けて具現することもできる。これは本発明に応じて必要な動作を制御部３００で遂行してもプロセッシングにあまり大きな負荷を与えなく、多くのメモリを必要としないので、既存のモジュールをそのままに使用できるからである。
【００３１】
図７及び図８Ａ乃至図８Ｃは本発明による移動通信網で基地局と基地局制御器間の連結網の構成及びデータの流れ図である。以下、図７及び図８Ａ乃至図８Ｃを参照して本発明による平面構造の基地局制御器と基地局間の連結を詳細に説明する。
【００３２】
基地局４００−１、４００−２、４００−３、４００−４のそれぞれは複数個のＢＳＣ４１０−１、…、４１０−ｎに連結されることができる。即ち、各ＢＴＳはＲＡＮ７０を通じてすべてのＢＳＣと通信することができる。従って、既存網とは異なり、ＢＳＣ:ＢＴＳの連結方式が１:ＮではなくＮ:Ｍになる。また、このような構造を受容するために、基地局及び基地局制御器は前記図５と図６の構成を有すべきである。前記構成に従ってハンドオフ時の動作を説明する。
【００３３】
図８Ａに示されたように、アンカーＢＳＣ＃１ ４１０−１に連結されたＭＴ８０はハンドオフの遂行前にソースＢＴＳ＃ｃ４００−３に連結されている。以後、ＭＴが移動してターゲットＢＴＳ＃ｂ４００−２に進入するようになると、図８Ｂに示されたようにターゲットＢＴＳ＃ｂ４００−２は該当ＭＴ８０のアンカーＢＳＣであるアンカーＢＳＣ＃１ ４１０−１に直接的に連結を遂行する。従って、従来技術と異なり、ターゲットＢＴＳ＃ｂ４００−２の階層的な上位ノードであるＢＳＣ＃ｎ４１０−ｎに連結を設定する必要がない。結局、ハンドオフ中に、ソースＢＴＳ＃ｃ４００−３がアンカーＢＳＣ＃１ ４１０−１と連結されている。同時にＭＴ８０はターゲットＢＴＳ＃ｂ４００−２とアンカーＢＳＣ＃１ ４１０−１間の単純化された経路を有する。
【００３４】
ハンドオフが終了されると、図８Ｃに示したように、ＭＴ８０はターゲットＢＴＳ＃ｂ４００−２を通じてアンカーＢＳＣ＃１ ４１０−１に連結される。即ち、アンカーＢＳＣ＃１ ４０１−１はＭＴ８０が位置したターゲットＢＴＳ＃ｂ ４００−２に直接連結される構造を有する。
【００３５】
ターゲットＢＳＣ＃ｂ４００−２がＭＴ８０のアンカーＢＳＣを検索する方法を考慮する場合、具現の容易性に従って下記三つの方法が可能である。
【００３６】
一番目の方法は、図９に示されたように、ＭＴが直接アンカーＢＳＣのＩＤをターゲットＢＴＳに伝達する方案である。
【００３７】
図９は本発明の第１実施形態によるハンドオフ時のメッセージ及び信号の流れ図である。以下、図９を参照して本発明の第１実施形態によるハンドオフ時のメッセージ及び信号流れを詳細に説明する。
【００３８】
ＭＴ８０が５００段階でハンドオフ要求(Handoff Request)メッセージをターゲットＢＴＳ＃ｂ４００−２に伝達する。この時、伝達されるメッセージにはＭＴ８０のＩＤとアンカーＢＳＣ＃１ ４１０−１のＩＤが含まれる。ターゲットＢＴＳ＃ｂ４００−２は５１０段階でＭＴ８０のＩＤとターゲットＢＴＳ＃ｂ４００−２のＩＤを含むハンドオフ要求メッセージを該当アンカーＢＳＣ＃１ ４１０−１に伝達する。アンカーＢＳＣ＃１ ４１０−１は５２０段階で接続を設定し、５３０段階でトラヒックを該当ターゲット基地局ＢＴＳ＃ｂ４００−２を通じてＭＴ８０に伝達する。前記ハンドオフを遂行するために、ＭＴ８０は自分のアンカーＢＳＣ＃１ ４１０−１を知っているべきである。
【００３９】
二番目の方法は、図１０に示されているような過程を通じて遂行される。図１０は本発明の第２実施形態によるハンドオフ時のメッセージ及び信号の流れ図である。以下、図１０を参照して本発明による第２実施形態のハンドオフ過程を詳細に説明する。
【００４０】
図１０を参照すると、ＲＡＮ７０にＭＴ−ＩＤとＭＴ８０のアンカーＢＳＣ−ＩＤのマッピング情報を有するロケーションデータベースを提供する。即ち、ＭＴ８０が６００段階でターゲットＢＴＳ＃ｂ００−２に該当ＭＴ８０のＩＤを含むハンドオフ要求メッセージ(handoff Request Message)を伝達すると、ターゲットＢＴＳｂ＃４００−２は６１０段階で該当ＭＴ８０のＩＤを含むアンカーＢＳＣ−ＩＤルックアップメッセージをロケーション(Location)データベースに伝達する。するとロケーションデータベースは６２０段階で前記アンカーＢＳＣ＃１ ４１０−１のＩＤを含むアンカーＢＳＣ−ＩＤ応答メッセージをターゲットＢＴＳ＃ｂ４００−２に伝達する。これによって、ターゲットＢＴＳ＃ｂ４００−２は６３０段階でアンカーＢＳＣ＃１ ４１０−１に連結を要求する。すると、該当アンカーＢＳＣ＃１ ４１０−１は６４０段階でこれによる接続設定を遂行し、６５０段階に進行してＭＴ８０とトラヒックを交換する。
【００４１】
三番目の方法は、図１１に示されたようにＩＰのマルチキャスト機能を活用する方法である。図１１は本発明の第３実施形態によるハンドオフ時のメッセージ及び信号の流れ図である。以下、図１１を参照して本発明による第３実施形態のハンドオフ過程を詳細に説明する。
【００４２】
ＭＴ８０が７００段階でハンドオフ要求メッセージをターゲットＢＴＳ＃ｂ４００−２に伝達すると、ターゲットＢＴＳ＃ｂ４００−２は７１０段階でＲＡＮ７０を通じて該当ＭＴ８０を管理するアンカーＢＳＣを探すブロードキャスト検索メッセージを放送する。すると、前記アンカーＢＳＣ＃１ ４１０−１は７２０段階で自分のＩＤを含む検索応答メッセージを該当ターゲットＢＴＳ＃ｂ４００−２に伝達する。これを受信したターゲットＢＴＳ＃ｂ４００−２は７３０段階で該当アンカーＢＳＣ＃１ ４００−１に自信のＩＤとＭＴ８０のＩＤを含むハンドオフ要求メッセージを伝達する。以後、７４０段階及び７５０段階は図９及び図１０での過程と同一であるので、その説明を省略する。
【００４３】
前記図９乃至図１１で使用されるメッセージは、下記＜表１＞乃至＜表３＞のようである。
【００４４】
【表１】
0003811673.tif 000002
【００４５】
前記＜表１＞のメッセージは前記図１０及び図１１のハンドオフ要求メッセージ、即ち、ＭＴからターゲットＢＴＳに伝達されるメッセージと、図１０のアンカーＢＳＣ−ＩＤルックアップメッセージと、前記図１１のブロードキャスト検索メッセージに使用される。
【００４６】
【表２】
0003811673.tif 000003
【００４７】
前記＜表２＞のメッセージは前記図９、図１０、図１１のターゲットＢＴＳからアンカーＢＳＣに伝達されるハンドオフ要求メッセージに使用される。
【００４８】
【表３】
0003811673.tif 000004
【００４９】
前記＜表３＞のメッセージは前記図９のハンドオフ要求メッセージ、即ち、ターゲットＢＴＳからアンカーＢＳＣに伝達されるメッセージと、図１０のアンカーＢＳＣ−ＩＤ応答メッセージと、前記図１１の検索応答メッセージで使用される。
【００５０】
【発明の効果】
上述したように、本発明によるハンドオフ方法は、平面構造の移動通信網でインターＢＳＣハンドオフ時にＲＡＮの容量を効率的に使用することができ、ハンドオフを迅速に遂行することができ、データの遅延を１／２に低減することができる利点がある。
【図面の簡単な説明】
【図１Ａ】  従来技術による移動通信網のネットワーク構成図である。
【図１Ｂ】  次世代移動通信システムで考慮されているネットワーク構成図である。
【図２】  平面構造を有する移動通信システムの論理的な階層網構成図である。
【図３Ａ】  外形的に平面構造を有し、実際に階層構造を有する従来の移動通信網でのハンドオフ過程を説明するための図である。
【図３Ｂ】  外形的に平面構造を有し、実際に階層構造を有する従来の移動通信網でのハンドオフ過程を説明するための図である。
【図３Ｃ】  外形的に平面構造を有し、実際に階層構造を有する従来の移動通信網でのハンドオフ過程を説明するための図である。
【図４】  論理的階層網構造を有する従来の移動通信システムでインターＢＳＣハンドオフを遂行するための信号流れ図である。
【図５】  本発明の望ましい実施形態による平面構造を有する移動通信システムで、基地局制御器のブロック構成図である。
【図６】  本発明の望ましい実施形態による平面構造を有する移動通信システムで、基地局のブロック構成図である。
【図７】  本発明の実施形態による平面構造を有する移動通信網で、基地局と基地局制御器間の連結網の構成及びデータの流れ図である。
【図８Ａ】  本発明の実施形態による平面構造を有する移動通信網で、基地局と基地局制御器間の連結網の構成及びデータの流れ図である。
【図８Ｂ】  本発明の実施形態による平面構造を有する移動通信網で、基地局と基地局制御器間の連結網の構成及びデータの流れ図である。
【図８Ｃ】  本発明の実施形態による平面構造を有する移動通信網で、基地局と基地局制御器間の連結網の構成及びデータの流れ図である。
【図９】  本発明の第１実施形態によるハンドオフ時のメッセージ及び信号の流れ図である。
【図１０】  本発明の第２実施形態によるハンドオフ時のメッセージ及び信号の流れ図である。
【図１１】  本発明の第３実施形態によるハンドオフ時のメッセージ及び信号の流れ図である。
【符号の説明】
２００    制御部
２１０    スイッチ
２２０・２３０    インタフェース
２４０    ＳＤＵ制御器
【図１Ａ】
0003811673.tif 000005
【図１Ｂ】
0003811673.tif 000006
【図２】
0003811673.tif 000007
【図３Ａ】
0003811673.tif 000008
【図３Ｂ】
0003811673.tif 000009
【図３Ｃ】
0003811673.tif 000010
【図４】
0003811673.tif 000011
【図５】
0003811673.tif 000012
【図６】
0003811673.tif 000013
【図７】
0003811673.tif 000014
【図８Ａ】
0003811673.tif 000015
【図８Ｂ】
0003811673.tif 000016
【図８Ｃ】
0003811673.tif 000017
【図９】
0003811673.tif 000018
【図１０】
0003811673.tif 000019
【図１１】
0003811673.tif 000020